(57)【要約】      （修正有）【課題】水の消費が少ないトイレ洗浄システムを提供する。【解決手段】水圧管Ｃまたは貯水槽Ｒから供給された水を、下水道Ｅへ流すサイホンを備えないトイレの内部下部シート２に用いられる機械的装置１で、上記内部下部シート２が取り付けられ、外部開放駆動手段５により開放されるロック制御手段４により固定されているダム３が設けられ、上記ダム３はロックされ静水しているとき、トイレ内に約２リットルの水を確保するために対応する釣り合いおもり手段７を有する蝶番点６が存在することを特徴としている。上記ロック制御手段４が開放されているとき、ダム３の蝶番が開いて、水及び汚物が下水管へ直行して流入する。流入後、このダム３は釣り合いおもり手段により、その静水点(静水した状態)に戻り、再び所定の位置でロックされる。このとき、水圧管Ｃまたは貯水槽Ｒから、約２リットルの水が解放され、次回のトイレの利用のために再び水を満たす。【選択図】  図１
2005054366.tif 000002
【特許請求の範囲】
【請求項１】
水圧管（Ｃ）または貯水槽（Ｒ）から供給された水を、所定の機構により排泄した後に、下水道（Ｅ）へ流す、サイホンを備えないトイレ（Ｂ）の内部下部シート（２）に用いられている機械的装置（１）である、トイレ排水用機械的装置において、
外部開放駆動手段（５）により開放されるロック制御手段（４）で固定されているダム（３）が上記内部下部シート（２）の外部に設けられ、
上記ダム（３）には、ロックされ静水しているとき、トイレ内に約２リットルの水を確保するために、対応する釣り合いおもり手段（７）と釣り合うための蝶番点（６）が存在することを特徴とするトイレ排水用機械的装置。
【発明の詳細な説明】
本発明は、新規のトイレの排水用の機械的装置に関する。より詳しくは、従来公知の機構を共通排水により起こる水の浪費を低減するためのシステムに置換することができる制御装置（ｄｅｖｉｃｅ）に関する。
【０００１】
周知のように、世界的な関心ごとの一つとしては、人間にとって希薄で必要な、淡水の不注意な浪費が挙げられる。
【０００２】
最近の研究から、近い将来、すべての人々は、貯水または、有効成分（ａｃｔｉｖｅ  ｅｌｅｍｅｎｔ）として水を利用する設備を可能な限り経済的にする手段の開発について懸念する必要があるという警告が発せられている。
【０００３】
例えば、使用後のトイレの洗浄に、ある水路の解放に応答した機構が必要になることが知られている。このような機構で最も普通に利用されているものとしては、ａ）手動またはペダル式の駆動バルブ（これは、水圧管に溜まっている５リットル以上の水を解放することができる）、または、ｂ）頭上式（ｏｖｅｒｈｅａｄ）貯水槽または取り付け式（ａｔｔａｃｈｅｄ）貯水槽（これらは、何れも平均５リットルの水を貯めることができる。この水は全てトイレへ流入し下水道へ流れる）が知られている。
【０００４】
トイレは、セラミック材料で設計されており、永久的に水を満たすことができるサイホンシステムを採用している。このサイホンシステムは、下水管からの気体及び臭いの非逆流（ｎｏｎ−ｒｅｆｌｕｘ）に応答している。このため、上述した水量が、トイレの排水を実行するのに必要である。なぜなら、上記の水量が十分にトイレへ流入すると同時に、サイホン内の静水が流動するからである。そして、この流動は、水を下水管のほうへ押圧して、その水と共に沈殿汚泥を搬送する。
【０００５】
そこで、本発明者は、従来のトイレ排水システムについて、次のようなことを理解した。すなわち、従来のトイレ排水システムは、下水管からの気体及び臭いの逆流を、封水された（ｓｅａｌｅｄ  ｗｉｔｈ  ｗａｔｅｒ）サイホン手段により防ぐことに基づいており、このサイホンは、少なくとも５リットルの水により押圧されるということを理解した。
【０００６】
本発明は、水の浪費を最小限に抑えると共に、国家的な貯水池の（水の）節約及び貯水に協同する新規のトイレ洗浄システムを開発することを目的としている。そして、サイホンの利用を排除することによりトイレの型の製造を簡便化するとともに、必要とされる水量を２リットルにまで低減させた本機械的装置を開発した。
【０００７】
上記の水量を低減させることは、数リットル単位で関連するとき（各個人で使用するレベルでは）、さほど重要でないかもしれない。しかしながら、一般レベルでの使用では、この約６０％の水量の低減は非常に意味がある。
【０００８】
また、本発明にかかるトイレ排水用機械的装置は、サイホンを取り除く代わりに蝶番式ダム機構を備えている。この蝶番式ダム機構（ａ  ｈｉｎｇｅｄ  ｄａｍ  ｍｅｃｈａｎｉｓｍ）は、下水道等の配管システムからの気体及び臭いの逆流をブロックするために、トイレ内に最低１リットルの水が貯水されるように設計されている。
【０００９】
上記ダム機構には、蝶番式のチェスト（ｈｉｎｇｅｄ  ｃｈｅｓｔ）が備えられている。この蝶番式チェストは、対応する重量と釣り合うための支持点（ｂｅａｒｉｎｇ）を有する。このダム機構において、手動または自動の掛け金が開放することにより排水が促進するときには、静水状態のダムの蝶番が作動して、これと同時に、水を下水管へ排出する。また、水供給管または頭上式貯水槽には、補給バルブが設けられており、上記のトイレ排水により、この補給バルブが解放して水を補給すると同時に、上記ダムが元の蝶番の状態に戻る。ここで、上記ダム機構の特徴点として、次回のトイレの排水のために補給する水の量がたった２リットルである点が挙げられる。
【００１０】
本発明の説明を増補し、その特徴点のよりよい理解を提供するために、その優先実施プラクティスに従い、添付図面を以下に示す。しかしながら、この図面は本発明の一例に過ぎず、これに限定されない。
【００１１】
図１は、サイホンが無く、水の供給は配管または貯水槽により成されるトイレ用の装置の静水状態での概略構成を示す側面図である。
【００１２】
図２は、図１の装置の排水状態での概略構成を示す側面図である。
【００１３】
図面によれば、本発明は、新規のトイレ排水用機械的装置に関する。すなわち、水圧管（Ｃ）または貯水槽（Ｒ）から供給された水を、所定の機構により排泄した後に、下水道（Ｅ）へ流す、サイホンを備えないトイレ（Ｂ）の内部下部シート（２）に用いられている機械的装置（１）に関する。
【００１４】
本発明によれば、この機械的装置（１）には、ロック制御手段（４）（例えば、掛け金）で固定され静水した状態（図１参照）のダム（３）が設けられている。また、このダム（３）は、上記内部下部シート（２）が外部に取り付けられている。また、上記ロック制御手段（４）は、外部開放駆動手段（５）（例えば、チェーンまたは開放ボタン）により開放される。さらなる特徴点として、上記ダム（３）には、対応する釣り合いおもり手段（７）と釣り合うための蝶番点（６）が存在することを特徴とする。
【００１５】
上記ダム（３）は、ロックされ静水している状態で、トイレ内に約２リットルの水を確保することができる。
【００１６】
この状態で、上記ロック制御手段（４）によりロックされているダム（３）と、上記釣り合いおもり手段（７）とは、蝶番点（６）で釣り合っている状態にある。
【００１７】
上記ロック制御手段（４）が開放されているとき、上記釣り合いおもり手段（７）との釣り合いが解除され、釣り合いがダム（３）側へ傾く。そして、ダム（３）の蝶番が開いて、水及び汚物が下水管（Ｔ）へと直行して流入する。そして、流入後、このダム（３）は、釣り合いおもり手段（７）により、その静水点（静水した状態）に戻り、再び所定の位置でロックされる。
【００１８】
このとき、水圧管（Ｃ）または貯水槽（Ｒ）から、約２リットルの水が解放され、次回のトイレの利用のためにトイレへ再び水を満たす。
【００１９】
なお、この画期的な機械的装置（１）は、さらに最適化したシステムにより、下水管からの気体の逆流を防止すると共に、かなりの量の貯水を促進することができる。
【００２０】
本発明を詳細にしたにも関わらず、本発明は、ここに示された詳細及び状態に限定しないことを理解することが重要である。本発明は、他の形式にすることも可能であり、他の様々な形式で実用もしくは実行することができる。ここで用いられた専門用語は、説明でまれに使われ、これに限定しないことは理解されるであろう。
【図面の簡単な説明】
【図１】図１は、サイホンが無く、水の供給は配管または貯水槽により成されるトイレ用の装置の静水状態での概略構成を示す側面図である。
【図２】図２は、図１の装置の排水状態での概略構成を示す側面図である。
【図１】
2005054366.tif 000003
【図２】
2005054366.tif 000004